(57)【要約】【課題】装置本体の外観のデザイン性や操作リングの操作性を損なうことなく、操作リングの回転操作時の摺動音を抑制する操作リングの静電気対策構造を提供する。【解決手段】撮像装置は、装置本体に対して光軸を中心に回転操作が可能に支持され、回転方向に沿って円弧形状部２３ａが形成された金属製の操作リング２３と、操作リング２３円弧形状部２３ａと他の金属製部材２１７とに接触して操作リング２３を電気的に接地する導電性弾性部材２１６と、を備える。導電性弾性部材２１６は、操作リング２３の円弧形状部２３ａに点接触する断面円弧状の接触部を有する。【選択図】図１１
2014202813.tif 000002
【特許請求の範囲】
【請求項１】
装置本体と、
前記装置本体に対して光軸を中心に回転操作が可能に支持され、回転方向に沿って円弧形状部が形成された金属製の操作リングと、
前記操作リングの前記円弧形状部と他の金属製部材とに接触して前記操作リングを電気的に接地する導電性弾性部材と、を備え、
前記導電性弾性部材は、前記操作リングの前記円弧形状部に点接触する断面円弧状の接触部を有することを特徴とする撮像装置。
【請求項２】
前記導電性弾性部材は、前記装置本体の底面側に配置され、
前記操作リングの前記円弧形状部と前記導電性弾性部材の前記接触部とが前記装置本体の底面側で点接触することを特徴とする請求項１に記載の撮像装置。
【請求項３】
前記装置本体の上面側、でかつ前記操作リングの近傍にマイクが配置されることを特徴とする請求項１又は２に記載の撮像装置。
【請求項４】
前記操作リングは、ズーム操作又はフォーカス操作に用いられることを特徴とする請求項１乃至３のいずれか一項に記載の撮像装置。
【発明の詳細な説明】
【技術分野】
【０００１】
本発明は、例えばデジタルカメラやデジタルビデオカメラ等の撮像装置に関し、特に操作リングを有する撮像装置に関する。
【背景技術】
【０００２】
デジタルカメラやデジタルビデオカメラ等の撮像装置では、フォーカス操作やズーム操作等を装置本体に設けられた操作リングを用いて行うものがある。操作リングは、樹脂部材で構成されるものも、外観のデザイン性の観点から金属部材によって構成されるものも存在する。また、操作リングは作業者が回転操作できるように電気的に接地されない状態で撮像装置本体に設置される。そのため、操作リングを金属製にした場合は、金属製の操作リングに静電気が印加された際の２次放電による装置本体への影響を回避するため、静電気対策が必要となる。
【０００３】
従来、金属製の外装部材の静電対策として、図１３に示すように、金属外装部２の内側面２ａに線ばね１５を接触させ、線ばね１５の一端１５ａをフレキシブル基板１２のグランド部１２ｂに固定することで電気的に接続する技術が提案されている（特許文献１）。
【先行技術文献】
【特許文献】
【０００４】
【特許文献１】特許第３９２２９６３号公報
【発明の概要】
【発明が解決しようとする課題】
【０００５】
上記特許文献１では、金属外装部２の内側面２ａに線ばね１５を面接触させているため、十分な接地面積を確保することができる。しかし、操作リングの静電気対策に上記特許文献１を適用すると、操作リングの構造上、線ばねとの安定した接触を確保しにくい。また、操作リングを回転操作した際に線ばねとの摩擦により大きな摺動音が発生し、特に装置本体の正面側にマイクを配置している場合には、マイクにより摺動音が録音される等、撮影時に音響上の問題が生じる。
【０００６】
そこで、本発明は、装置本体の外観のデザイン性や操作リングの操作性を損なうことなく、操作リングの回転操作時の摺動音を抑制することができる操作リングの静電気対策構造を提供することを目的とする。
【課題を解決するための手段】
【０００７】
上記目的を達成するために、本発明の撮像装置は、装置本体と、前記装置本体に対して光軸を中心に回転操作が可能に支持され、回転方向に沿って円弧形状部が形成された金属製の操作リングと、前記操作リングの前記円弧形状部と他の金属製部材とに接触して前記操作リングを電気的に接地する導電性弾性部材と、を備え、前記導電性弾性部材は、前記操作リングの前記円弧形状部に点接触する断面円弧状の接触部を有することを特徴とする。
【発明の効果】
【０００８】
本発明によれば、装置本体の外観のデザイン性や操作リングの操作性を損なうことなく、操作リングの回転操作時の摺動音を抑制することができる操作リングの静電気対策構造を提供することができる。
【図面の簡単な説明】
【０００９】
【図１】（ａ）は、本発明の撮像装置の実施形態の一例であるデジタルビデオカメラを正面側（被写体側）から見た斜視図である。（ｂ）は、（ａ）に示すデジタルビデオカメラを背面側から見た斜視図である。
【図２】（ａ）は、フロントユニットの分解斜視図である。（ｂ）は、（ａ）に示すフロントユニットを背面側から見た分解斜視図である。
【図３】フロントユニットを表示ユニット側から見た図である。
【図４】図３のＢ−Ｂ線要部断面図である。
【図５】図１（ａ）に示すデジタルビデオカメラのカメラ本体に対して表示ユニットを開いた状態を示す斜視図である。
【図６】フロントユニットを底面側から見た図である。
【図７】図６のＣ部拡大詳細図である。
【図８】フロントユニットを背面側から見た図である。
【図９】図１（ａ）に示すデジタルビデオカメラを底面側から見た図である。
【図１０】図９のＤ部拡大詳細図である。
【図１１】フロントユニットの底面側から見た斜視図である。
【図１２】図１１のＥ−Ｅ線断面図である。
【図１３】従来の金属製の外装部材の静電気対策構造を説明するための分解斜視図である。
【発明を実施するための形態】
【００１０】
以下、本発明の実施形態の一例を図面を参照して説明する。
【００１１】
図１（ａ）は、本発明の撮像装置の実施形態の一例であるデジタルビデオカメラを正面側（被写体側）から見た斜視図である。図１（ｂ）は、図１（ａ）に示すデジタルビデオカメラを背面側から見た斜視図である。
【００１２】
図１に示すように、本実施形態のデジタルビデオカメラは、カメラ本体１００の正面側にフロントユニット２００及びダイアル操作部１６が設けられ、カメラ本体１００の背面側にビューファインダ１４０が設けられる。カメラ本体１００の上面部には、電源のＯＮ／ＯＦＦ及び撮影した動画の再生モードを切り替えるスライド式スイッチ１３０、ズーム操作スイッチ１５０、アクセサリシュー１７、及びモード切替スイッチ１９等が設けられる。また、カメラ本体１００の正面側から見て右側の側面部には、表示ユニット１８が開閉可能に支持されている。ここで、カメラ本体１００は、本発明の装置本体の一例に相当する。
【００１３】
図２（ａ）は、フロントユニット２００の分解斜視図である。図２（ｂ）は、図２（ａ）に示すフロントユニット２００を背面側から見た分解斜視図である。
【００１４】
図１及び図２に示すように、フロントユニット２００は、外観に露出する部分に、マイク２１，２２、操作リング２３、レンズフード取付部材２４、装飾部２５、レンズ仕様表記部材２６、フォーカスユニットの窓部２７、及び外装部材２８が配置される。なお、マイク２１，２２は、カメラ本体１００の上面側で、かつ操作リング２３の近傍に配置される。
【００１５】
また、フロントユニット２００は、外観に露出しない部分に、ワッシャ２９，２１１、回転部材２１０、ガスケット２１２，２１３、マイクホルダ２１４、フレキシブル基板２１５、静電対策ばね２１６、及び静電補助板金２１７が設けられる。
【００１６】
回転部材２１０には、櫛歯部２１０ａが形成されている。フレキシブル基板２１５には、回転部材２１０の櫛歯部２１０ａの形状を利用して操作リング２３の回転方向を検出するためのフォトインタラプタ２１５ａ，２１５ｂが実装される。
【００１７】
本実施形態では、操作リング２３、装飾部２５、マイクホルダ２１４、静電補助板金２１７、及び静電対策ばね２１６は、金属製とされている。静電対策ばね２１６は、線ばねで構成され、操作リング２３との接触力を小さくして操作リング２３の回転操作性を向上させるとともに、接触による騒音を出来る限り小さくするため、線径が細いものが望ましい。ここで、静電対策ばね２１６は、本発明の導電性弾性部材の一例に相当する。
【００１８】
一方、レンズフード取付部材２４、レンズ仕様表記部材２６、窓部２７、外装部材２８、回転部材２１０、ワッシャ２９，２１１は、樹脂製とされている。ワッシャ２９，２１１は、例えばＰＥＴ（ポリエチレンテレフタレート）等で形成される。また、マイク２１，２２は、不図示のワイヤを経由してカメラ本体１００内の別基板に接続される。フレキシブル基板２１５も同様に、カメラ本体１００内の別基板に接続される。
【００１９】
図３は、フロントユニット２００を表示ユニット１８側から見た図である。図４は、図３のＢ−Ｂ線要部断面図である。図４に示すように、操作リング２３は、回転部材２１０の外周部に嵌め込まれ、不図示の位置決め手段により位置決めされて回転部材２１０と一体に回転する。
【００２０】
また、ワッシャ２９は、レンズフード取付部材２４に設置される。ワッシャ２１１は、外装部材２８に設置される。ワッシャ２９は、操作リング２３のリブ２３ａが回転方向に摺動可能に光軸方向に当接する。ワッシャ２１１は、回転部材２１０のリブ部２１０ｂが回転方向に摺動可能に光軸方向に当接する。これにより、操作リング２３及び回転部材２１０の光軸方向の位置が規制される。
【００２１】
一方、レンズフード取付部材２４の外周壁２４ａには、回転部材２１０の内周壁２１０ｃが回転方向に摺動可能に嵌め込まれる。これにより、操作リング２３は、径方向の位置が規制された状態で、レンズフード取付部材２４及び外装部材２８に対して独立して光軸を中心としての回転操作が可能になる。
【００２２】
また、回転部材２１０のリブ部２１０ｂ、ワッシャ２９の操作リング２３のリブ２３ａの当接部、及びレンズフード取付部材２４の外周壁２４ａには、それぞれ絶縁性材料からなるグリスが塗布されている。このグリスの塗布により、操作リング２３を回転操作する際に所定の回転トルクが発生し、撮影者に適切な操作感を与えることができる。
【００２３】
また、フロントユニット２００のレンズフード取付部材２４及び外装部材２８以外のいずれの部材も、操作リング２３及び回転部材２１０に対して離間して配置される。つまり、操作リング２３は、フロントユニット２００のその他の部材に対して電気的に独立して設けられる。
【００２４】
図５は、図１（ａ）に示すデジタルビデオカメラのカメラ本体１００に対して表示ユニット１８を開いた状態を示す斜視図である。図５に示すように、撮影者は、操作リング２３をレンズ光軸Ａを中心として図の矢印方向に回転操作することが可能である。その際、撮影者は、カメラ本体１００に設けられた不図示の切替スイッチを切替操作することで、操作リング２３によりズーム操作又はフォーカス操作を行うことができる。
【００２５】
撮影者が操作リング２３を回転操作すると、回転部材２１０が操作リング２３と一体に回転する。このとき、フォトインタラプタ２１５ａ，２１５ｂは回転部材２１０の櫛歯部２１０ａの回転方向と通過数とを検出する。そして、フォトインタラプタ２１５ａ，２１５ｂの検出結果に応じて、不図示のズーム駆動制御部又はフォーカス駆動制御部は、公知のズーム駆動制御又はフォーカス駆動制御として、所定の速度でズーム又はフォーカス調整等を行う。
【００２６】
図６は、フロントユニット２００を底面側から見た図である。図７は、図６のＣ部拡大詳細図である。図８は、フロントユニット２００を背面側から見た図である。図６及び図７に示すように、外装部材２８は、操作リング２３の背面側端面に隣接する周リブ２８ｃを有する。周リブ２８ｃは、外装部材２８の外周面を覆う装飾部２５と操作リング２３との間に配置されて、装飾部２５を光軸方向に位置規制する。また、周リブ２８ｃの最外径は、装飾部２５の最外径に比べて大きく、かつ、操作リング２３の最外径よりも小さい。これにより、操作リング２３を回転操作する際に、装飾部２５に撮影者の手等が触れないようにしている。
【００２７】
図６乃至図８に示すように、周リブ２８ｃは、外装部材２８の底面側で部分的に切り欠かれている。この外装部材２８の切り欠き部分に静電対策ばね２１６が配置されて、操作リング２３に対して電気的に接触している。なお、図６及び図７に示す２点鎖線の矢印は、静電対策ばね２１６の反力方向を示す。
【００２８】
このように、静電対策ばね２１６と操作リング２３との接触点をフロントユニット２００の底面側に配置しているため、フロントユニット２００のその他の箇所に接触点を設けるのに比べて、外観のデザイン性を大きく損なうことがない。また、フロントユニット２００の上面側に配置されるマイク２１，２２に対して静電対策ばね２１６と操作リング２３との接触点が離れて配置される。このため、操作リング２３が操作された際でもマイク２１，２２が静電対策ばね２１６と操作リング２３の摺動音を捉えにくく、音響上有利である。
【００２９】
また、図６及び図７に示すように、静電対策ばね２１６外装部材２８の径方向外側には、静電補助板金２１７の一部が配置される。静電補助板金２１７は、静電対策ばね２１６がカメラ本体１００の高さ方向に変位するのを規制し、静電対策ばね２１６と操作リング２３との接触状態を維持する。
【００３０】
更に、静電対策ばね２１６は、ばね性を確保するための腕部が外装部材２８の接線方向又は周方向（図６及び図７の紙面上下方向）に沿って設けられる。これにより、腕部をカメラ本体１００の光軸方向又は高さ方向に沿って設ける場合に比べて、静電対策ばね２１６をフロントユニット２００の底面側にスペース効率よくコンパクトに配置することができる。
【００３１】
静電対策ばね２１６は、外装部材２８と静電補助板金２１７との間に挟まれた状態で、外装部材２８の突起部２８ａを静電補助板金２１７に熱溶着することで、光軸方向に位置規制される。
【００３２】
図８に示すように、静電対策ばね２１６に接触する静電補助板金２１７は、金属製の装飾部２５に接触しており、フロントユニット２００をカメラ本体１００に取り付けて一体化した際に、装飾部２５と共締めされて装飾部２５に対して電気的に導通する。これにより、操作リング２３は、静電対策ばね２１６及び静電補助板金２１７を介して装飾部２５に電気的に接地されることになる。ここで、静電補助板金２１７は、本発明の他の金属製部材の一例に相当する。
【００３３】
図９は、図１（ａ）に示すデジタルビデオカメラを底面側から見た図である。図１０は、図９のＤ部拡大詳細図である。図９及び図１０に示すように、ボトムカバー１１０は、樹脂製とされ、ボトムカバー１１０には、外装部材２８の周リブ２８ｃの底面側の切り欠き部に嵌め込まれる凸形状部１１０ａが形成されている。
【００３４】
外装部材２８の周リブ２８ｃの底面側の切り欠き部にボトムカバー１１０の凸形状部１１０ａが嵌め込まれた状態では、凸形状部１１０ａの先端と操作リング２３との間に０．１〜０．２ｍｍの隙間ｄが形成された状態で静電対策ばね２１６の略全域が覆われる。このように、カメラ本体１００の底面側に配置される静電対策ばね２１６がボトムカバー１１０の凸形状部１１０ａで覆われることで、デジタルビデオカメラの外観のデザイン性を大きく損なうことなく、操作リング２３を電気的に接地することが可能となる。
【００３５】
図１１は、フロントユニット２００の底面側から見た斜視図である。図１２は、図１１のＥ−Ｅ線断面図である。図１１及び図１２に示すように、静電対策ばね２１６は、操作リング２３のカメラ本体１００の背面側の位置に接触する。このとき、操作リング２３の内径面に静電対策ばね２１６を接触させようとすると、静電対策ばね２１６のばね性を確保するための十分なスペースを確保するのが難しくなる。また、操作リング２３の静電対策ばね２１６の接触点が回転部材２１０のリブ部２１０ｂの絶縁性グリスの塗布部分に近くなるため、絶縁性グリスと接触して導電性を確保できなくなるおそれがある。
【００３６】
そこで、本実施形態では、図１１及び図１２に示すように、操作リング２３の背面側端面と内径面との間に操作リング２３の回転方向の全周に沿って円弧形状部２３ａを形成する。そして静電対策ばね２１６は先端が折り曲げられて形成されている。この静電対策ばね２１６の折り曲げ部分は円弧形状部２３ａと接触する。ここで、静電対策ばね２１６は、断面円形状の線ばねで構成されているため、先端の折り曲げ部分には、操作リング２３の円弧形状部２３ａに点接触する断面円弧状の接触部が配置される。
【００３７】
これにより、操作リング２３の円弧形状部２３ａに対して静電対策ばね２１６の先端の折り曲げ部分が一点で接触し、点接触を維持しながら操作リング２３が回転可能となる。すなわち、操作者が操作リング２３を回転操作すると、操作リング２３の円弧形状部２３ａに対して静電対策ばね２１６の先端の折り曲げ部分が摺動する。この結果、静電対策ばね２１６を操作リング２３に対して安定して接触させることができるとともに、操作リング２３の滑らかな回転操作を可能にし、かつ操作リング２３の回転操作時の摺動音を抑制することができる。
【００３８】
以上説明したように、本実施形態では、カメラ本体１００の外観のデザイン性や操作リング２３の操作性を損なうことなく、操作リング２３の回転操作時の摺動音を抑制することができる操作リング２３の静電気対策構造を提供することができる。
【００３９】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００４０】
２１，２２  マイク
２３  操作リング
２３ａ  円弧形状部
２５  装飾部
２８  外装部材
１００  カメラ本体
２００  フロントユニット
２１０  ボトムカバー
２１６  静電対策ばね
２１７  静電補助板金
【図１】
2014202813.tif 000003
【図２】
2014202813.tif 000004
【図３】
2014202813.tif 000005
【図４】
2014202813.tif 000006
【図５】
2014202813.tif 000007
【図６】
2014202813.tif 000008
【図７】
2014202813.tif 000009
【図８】
2014202813.tif 000010
【図９】
2014202813.tif 000011
【図１０】
2014202813.tif 000012
【図１１】
2014202813.tif 000013
【図１２】
2014202813.tif 000014
【図１３】
2014202813.tif 000015